【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
（ａ）約１６〜約４０個の炭素原子を有する酸化αオレフィンであって、前記酸化αオレフィンが、１つもしくは複数のカルボン酸基、または、前記カルボン酸の１つもしくは複数のＣ１〜Ｃ２８アルキルエステル、例えばメチルまたはブチルエステルを含み、前記αオレフィンが、任意のエステル化の前に測定して約１０〜約１２０の酸価まで酸化されている、酸化αオレフィン；
（ｂ）約１０〜約３６個の炭素原子の少なくとも１つの分枝を有し、および約５０００〜約３００，０００の数平均分子量を有する炭化水素可溶性エステル含有ポリマー；
（ｃ）少なくとも１０個の炭素原子を有するカルボン酸；
（ｄ）アルキルアリールスルホン酸の塩であって、そのアルキル基が炭化水素油中での前記塩の溶解性を提供するのに十分な長さである、アルキルアリールスルホン酸の塩；
（ｅ）前記塩を溶解させるのに十分な量の油；および
（ｆ）任意選択で、揮発性希釈剤
を含むコーティング組成物。
【請求項２】
（ａ）前記酸化αオレフィンの量が約１５〜約４０重量パーセントであり、（ｂ）前記炭化水素可溶性エステル含有ポリマーの量が約０．１〜約１０重量パーセントであり、（ｃ）前記カルボン酸の量が約１〜約８重量パーセントであり、（ｄ）前記アルカリールスルホン酸の前記塩の量が約３〜約３０重量パーセントであり、そして（ｅ）前記油の量が約２〜約８０重量パーセントで存在する炭化水素油であり、前記パーセンテージが任意の揮発性希釈剤の量を含まない、請求項１に記載のコーティング組成物。
【請求項３】
（ａ）前記酸化αオレフィンが、エステル化前に、約１０〜約１００または約３０〜約８５の酸価まで酸化されている、請求項１に記載のコーティング組成物。
【請求項４】
（ｂ）前記炭化水素可溶性エステル含有ポリマーが、アルファオレフィン−無水マレイン酸エステルコポリマー、スチレン−無水マレイン酸エステルコポリマー、フマル酸−酢酸ビニルエステルコポリマーまたはその混合物を含む、請求項１に記載のコーティング組成物。
【請求項５】
（ｃ）前記カルボン酸が二酸またはポリ酸を含む、請求項１に記載のコーティング組成物。
【請求項６】
（ｄ）前記アルキルアリールスルホン酸の前記塩が金属塩である、請求項１に記載のコーティング組成物。
【請求項７】
（ｄ）前記アルキルアリールスルホン酸の前記塩が、９もしくは１２〜約２００個の炭素原子または約１８〜約１００個の炭素原子のアルキル基を含有する、請求項１に記載のコーティング組成物。
【請求項８】
（ｅ）前記油が炭化水素油である、請求項１に記載のコーティング組成物。
【請求項９】
約１０または約１６〜約４０個の炭素原子の非酸化αオレフィンをさらに含む、請求項１に記載のコーティング組成物。
【請求項１０】
酸化オレフィン以外に酸化石油ワックスをさらに含む、請求項１に記載のコーティング組成物。
【請求項１１】
約１８〜約７５個の炭素原子の炭化水素ワックス、または８〜約２４個の炭素原子の脂肪酸の１つもしくは複数をベースとしたトリグリセリド、またはその混合物をさらに含む、請求項１に記載のコーティング組成物。
【請求項１２】
前記揮発性希釈剤が存在する、請求項１に記載のコーティング組成物。
【請求項１３】
請求項１に記載の組成物でコーティングされた表面。
【請求項１４】
表面に腐食保護を提供する方法であって、前記表面に、請求項１に記載のコーティング組成物を塗布するステップを含む、方法。
【請求項１５】
請求項１に記載の成分を含むフィルム。
【手続補正２】
【補正対象書類名】明細書
【補正対象項目名】００７４
【補正方法】変更
【補正の内容】
【００７４】
ある特定の代表的な実施形態および詳細を、本発明を例示する目的で示してきたが、本発明の範囲を逸脱することなく、種々の変更および改変を行うことができることは当業者に明白である。この関連で、本発明の範囲は、添付の特許請求の範囲によってのみ限定される。ある特定の法域において、より広いリストからの、数値の範囲についてのより狭い値の１つもしくは複数の列挙、または要素のより狭い選択の列挙は、そうした列挙が好ましい実施形態を表すことを意味する。
一実施形態において、例えば、以下の項目が提供される。
（項目１）
（ａ）約１６〜約４０個の炭素原子を有する酸化αオレフィンであって、前記酸化αオレフィンが、１つもしくは複数のカルボン酸基、または、前記カルボン酸の１つもしくは複数のＣ１〜Ｃ２８アルキルエステル、例えばメチルまたはブチルエステルを含み、前記αオレフィンが、任意のエステル化の前に測定して約１０〜約１２０の酸価まで酸化されている、酸化αオレフィン；
（ｂ）約１０〜約３６個の炭素原子の少なくとも１つの分枝を有し、および約５０００〜約３００，０００の数平均分子量を有する炭化水素可溶性エステル含有ポリマー；
（ｃ）少なくとも１０個の炭素原子を有するカルボン酸；
（ｄ）アルキルアリールスルホン酸の塩であって、そのアルキル基が炭化水素油中での前記塩の溶解性を提供するのに十分な長さである、アルキルアリールスルホン酸の塩；
（ｅ）前記塩を溶解させるのに十分な量の油；および
（ｆ）任意選択で、揮発性希釈剤
を含むコーティング組成物。
（項目２）
（ａ）前記酸化αオレフィンの量が約１５〜約４０重量パーセントであり、（ｂ）前記炭化水素可溶性エステル含有ポリマーの量が約０．１〜約１０重量パーセントであり、（ｃ）前記カルボン酸の量が約１〜約８重量パーセントであり、（ｄ）前記アルカリールスルホン酸の前記塩の量が約３〜約３０重量パーセントであり、そして（ｅ）前記油の量が約２〜約８０重量パーセントで存在する炭化水素油であり、前記パーセンテージが任意の揮発性希釈剤の量を含まない、項目１に記載のコーティング組成物。
（項目３）
前記炭化水素油の量が約２〜約３０重量パーセントである、項目２に記載のコーティング組成物。
（項目４）
（ａ）前記酸化αオレフィンの量が約０．３〜約２２重量パーセントであり、（ｂ）前記炭化水素可溶性エステル含有ポリマーの量が約０．００２〜約８重量パーセントであり、（ｃ）前記カルボン酸の量が約０．０２〜約１０重量パーセントであり、（ｄ）前記アルカリールスルホン酸の前記塩の量が約０．０６〜約２０重量パーセントであり、（ｅ）前記油の量が約７０〜約９８重量パーセントで存在する炭化水素油であり、前記パーセンテージが任意の揮発性希釈剤の量を含まない、項目１に記載のコーティング組成物。
（項目５）
（ａ）前記酸化αオレフィンが、エステル化前に、約１０〜約１００または約３０〜約８５の酸価まで酸化されている、項目１〜５のいずれか一項に記載のコーティング組成物。
（項目６）
（ｂ）前記炭化水素可溶性エステル含有ポリマーが、アルファオレフィン−無水マレイン酸エステルコポリマー、スチレン−無水マレイン酸エステルコポリマー、フマル酸−酢酸ビニルエステルコポリマーまたはその混合物を含む、項目１〜５のいずれかに記載のコーティング組成物。
（項目７）
（ｃ）前記カルボン酸が二酸またはポリ酸を含む、項目１〜６のいずれかに記載のコーティング組成物。
（項目８）
（ｃ）前記カルボン酸が、隣接炭素原子上に２つのカルボン酸基を有する二酸またはポリ酸を含み、前記二酸またはポリ酸が少なくとも１４個の炭素原子を有する、項目１〜６のいずれかに記載のコーティング組成物。
（項目９）
（ｄ）前記アルキルアリールスルホン酸の前記塩が金属塩である、項目１〜８のいずれかに記載のコーティング組成物。
（項目１０）
前記金属塩が、カルシウム塩  バリウム塩またはナトリウム塩、特にカルシウム塩である、項目９に記載のコーティング組成物。
（項目１１）
（ｄ）前記アルキルアリールスルホン酸の前記塩が、９もしくは１２〜約２００個の炭素原子または約１８〜約１００個の炭素原子のアルキル基を含有する、項目１〜１０のいずれかに記載のコーティング組成物。
（項目１２）
（ｅ）前記油が炭化水素油である、項目１〜１１のいずれかに記載のコーティング組成物。
（項目１３）
約１０または約１６〜約４０個の炭素原子の非酸化αオレフィンをさらに含む、項目１〜８のいずれかに記載のコーティング組成物。
（項目１４）
前記非酸化αオレフィンと前記酸化αオレフィンの重量比が約０．３：１〜約２：１である、項目９に記載のコーティング組成物。
（項目１５）
前記非酸化αオレフィンの量が、約０．２〜約４０重量パーセントまたは約１０〜約４０重量パーセントまたは約０．２〜約２０重量パーセントである、項目１３または項目１４に記載のコーティング組成物。
（項目１６）
酸化オレフィン以外に酸化石油ワックスをさらに含む、項目１〜１５のいずれかに記載のコーティング組成物。
（項目１７）
約１８〜約７５個の炭素原子の炭化水素ワックス、または８〜約２４個の炭素原子の脂肪酸の１つもしくは複数をベースとしたトリグリセリド、またはその混合物をさらに含む、項目１〜１５のいずれか一項に記載のコーティング組成物。
（項目１８）
前記炭化水素ワックス、またはトリグリセリド、またはその混合物の量が、約０．２〜約２０重量パーセントまたは約１０〜約２０重量パーセントまたは約０．２〜約１０重量パーセントである、項目１６に記載のコーティング組成物。
（項目１９）
前記揮発性希釈剤が存在する、項目１〜１７のいずれか一項に記載のコーティング組成物。
（項目２０）
前記揮発性希釈剤が炭化水素溶媒を含む、項目１８に記載のコーティング組成物。
（項目２１）
前記揮発性希釈剤の量が前記組成物の約６０〜約９８重量パーセントであり、他の成分（ａ）〜（ｅ）の総量が約２〜約４０重量パーセントである、項目１８または項目１９に記載のコーティング組成物。
（項目２２）
項目１〜２０のいずれか一項に記載の組成物でコーティングされた表面。
（項目２３）
前記表面が鉄金属を含む、項目２１に記載の表面。
（項目２４）
表面に腐食保護を提供する方法であって、前記表面に、項目１〜１６のいずれか一項に記載のコーティング組成物を塗布するステップを含む、方法。
（項目２５）
前記表面が鉄金属を含む、項目２３に記載の方法。
（項目２６）
前記コーティング組成物が揮発性希釈剤を含み、前記方法が、前記揮発性希釈剤を蒸発させるステップをさらに含む、項目２３または項目２４に記載の方法。
（項目２７）
項目１〜１７のいずれか一項に記載の成分を含むフィルム。